(57)【要約】【課題】低記録密度フォーマットに適合する波長のレーザー光源により高記録密度フォーマットのディスクに対して隣接トラックとのクロストーク及び記録マーク長に対する分解能の不足を解消した光ピックアップ装置およびそれを用いた光ディスク装置を提供することを課題とする。【解決手段】高記録密度フォーマットに対応させて中央受光領域が設けられると共に、この領域の外周側に低記録密度フォーマットに対応させて周縁受光領域が設けられた光検出器ＰＤ，３０を備え、高記録密度フォーマットのディスクの場合、中央受光領域からの受光出力を発生させ、低記録密度フォーマットのディスクの場合、中央受光領域及び周縁受光領域からの各受光出力の合算出力を発生させる。これによりレーザー光源の波長及び光検出器の受光範囲を低記録密度のフォーマットに対応するディスクに適合させておいて、高記録密度のフォーマットのディスクの記録マークを読み取る。【選択図】　　図１
2004055027.tif 000002
【特許請求の範囲】
【請求項１】
記録密度の相違する低記録密度フォーマット及び高記録密度フォーマットに対応するディスクを光学的に読み取る光ピックアップ装置であって、低記録密度フォーマットに適合する波長のレーザー光を発生するレーザー光源を備え、高記録密度フォーマットに対応させて中央部分に配置される中央受光領域を有すると共に、この中央受光領域の外周側に低記録密度フォーマットに対応させて配置される周縁受光領域を有する光検出器を備え、高記録密度フォーマットのディスクの読み取り時には前記中央受光領域からの受光出力を発生させ、低記録密度フォーマットのディスクの読み取り時には前記中央受光領域及び前記周縁受光領域からの各受光出力を合算した合算出力を発生させることを特徴とする光ピックアップ装置。
【請求項２】
前記中央受光領域及び前記周縁受光領域はそれぞれ複数の分割領域に共通の分割線により分割され、前記各受光領域の対応する分割領域ごとの各受光出力を選択的に合算することを特徴とする請求項１記載の光ピックアップ装置。
【請求項３】
前記光検出器は碁盤の目状に配列された複数のセグメントにより構成され、複数のセグメントの集合により前記中央受光領域及び前記周縁受光領域の各分割領域が構成されており、各受光領域における同一分割領域内の各セグメントの各受光出力は合算されて同一の出力端子から出力され、ディスクのフォーマット種別によって各分割領域を構成するセグメントが切り換えられることを特徴とする請求項１あるいは請求項２記載の光ピックアップ装置。
【請求項４】
少なくとも各受光領域の境界近傍の各セグメントの各受光出力は選択回路により選択的に各出力端子に導出されることを特徴とする請求項３記載の光ピックアップ装置。
【請求項５】
光ディスク装置にディスクがセットされた際に、前記光検出器の各セグメントから得られる受光出力により前記各セグメントに受光される出力分布強度を測定し、この測定に基づいて前記光検出器の中央受光領域及び周縁受光領域の境界を切り換えることを特徴とする請求項３記載の光ピックアップ装置。
【請求項６】
光ディスク装置にディスクがセットされた際に、前記光検出器の各セグメントから得られる受光出力により前記各セグメントに受光される出力分布強度を測定し、この測定に基づいて前記光検出器の各受光領域を分割する分割領域の境界を切り換えることを特徴とする請求項３記載の光ピックアップ装置。
【請求項７】
請求項１記載の光ピックアップ装置を用いてディスクを光学的に読み取る光ディスク装置において、光ピックアップ装置から記録密度の低い方のフォーマットに適合する波長のレーザー光を発生させ、光検出器の中央受光領域から得られる受光出力を用いることにより高記録密度フォーマットのディスクの記録マークを読み取ると共に、光検出器の中央受光領域及び周縁受光領域から得られる各受光出力の合算出力を用いることにより低記録密度フォーマットのディスクの記録マークを読み取るようにしたことを特徴とする光ディスク装置。
【請求項８】
請求項３記載の光ピックアップ装置を用いてディスクを光学的に読み取る光ディスク装置において、低記録密度フォーマットのディスクの信号トラックの縁部分に対応する光検出器の所定のセグメントから得られる受光出力を用いて前記ディスクのプリグルーブのウォブル信号成分を抽出するようにしたことを特徴とする光ディスク装置。
【請求項９】
請求項３記載の光ピックアップ装置を用いてディスクを光学的に読み取る光ディスク装置において、ディスクのセット時に光検出器の各セグメントから得られる受光出力により前記各セグメントに受光される出力分布強度を測定し、この測定に基づいて前記光検出器の使用するセグメントを切り換えることを特徴とする光ディスク装置。
【発明の詳細な説明】
【０００１】
【発明の属する技術分野】
本発明は、記録密度の相違する少なくとも２種類のフォーマットに対応するディスクを光学的に読み取る光ピックアップ装置、およびそれを用いた光ディスク装置に関し、特に、低記録密度フォーマットのディスクの記録マークに適合する波長のレーザー光を用いて高記録密度フォーマットのディスクの記録マークを読み取るようにした光ピックアップ装置およびそれを用いた光ディスク装置に関する。
【０００２】
【従来の技術】
ディスクに記録された記録信号を光ピックアップ装置を用いて光学的に読み取る光ディスク装置としては、ＣＤ（Ｃｏｍｐａｃｔ　Ｄｉｓｃ）規格に準拠するＣＤドライブ装置と、ＣＤと同一ディスク径として機構的な互換性を確保した上でＣＤより更なる大容量化が図られた高密度のＤＶＤ（Ｄｉｇｉｔａｌ　Ｖｅｒｓａｔｉｌｅ　Ｄｉｓｃ）規格に準拠するＤＶＤドライブ装置が知られている。
【０００３】
このＤＶＤドライブ装置においてはＣＤとの上位互換が確保されており、ＣＤの再生が可能となっている。
【０００４】
このようなＤＶＤドライブ装置に使用される光ピックアップ装置としては、ＣＤの記録密度に適した波長のレーザービームを発光するレーザーダイオードとＤＶＤの記録密度に適した波長のレーザービームを発光するレーザーダイオードとの波長の異なる２種類のレーザー光源を用意し、使用するディスクの記録密度に応じて使用する光源の切り換えを行うことにより単一の光ピックアップによって記録密度が異なるＣＤ及びＤＶＤに対応させたものがある。
【０００５】
このようなＣＤ及びＤＶＤに対応させた光ピックアップ装置としては、対物レンズを共通としても一般に２種類のレーザー光源を必要とすると共に、各レーザー光源のディスクからの反射光を各ディスク種別ごとにそれぞれ別光路に分岐して別光路上の光検出器の受光領域に受光させるようにする必要があった。
【０００６】
その為、ＣＤ及びＤＶＤに対応の光ピックアップ装置は、構成部品の点数が多く、これにより組立工数も増加してコスト高であると共に、小型化にも不利である。
【０００７】
したがって、光ピックアップ装置の構成部品の点数を削減させる要求がある。
【０００８】
【発明が解決しようとする課題】
ＣＤ及びＤＶＤに対応の光ピックアップ装置としては、記録密度の高い方のフォーマットであるＤＶＤに適合する波長のレーザー光を発生するレーザーダイオードの単一光源のものが提案されている。
【０００９】
しかしながら、ＣＤファミリーのＣＤ−Ｒ（Ｒｅｃｏｒｄａｂｌｅ）は記録膜の波長依存性があるので、ＤＶＤに適合する短波長のレーザー光ではＣＤ−Ｒの読み取りを行うことが出来ない。
【００１０】
また、ＣＤとＤＶＤとで単一光源とすると共に、共通の光検出器を使用するようにしても光検出器にはＣＤとＤＶＤとで別の受光領域を設ける必要があり、かつ、各ディスクに対応する受光領域に反射光を導くべく光路を分岐させる構成を必要とする。
【００１１】
一方、記録密度の低い方のフォーマットであるＣＤに適合する波長のレーザー光を発生するレーザーダイオードの単一光源によりＣＤ及びＤＶＤに対応の光ピックアップ装置とした場合、ディスク上の光スポット径の関係から隣接トラックとのクロストーク及び最短長の記録マーク（ピット・ランド）に対する分解能が不足して記録マークの読み取りが行えない。
【００１２】
本発明は、低記録密度フォーマットに適合する波長のレーザー光を発生する単一のレーザー光源により高記録密度フォーマットのディスクに対して隣接トラックとのクロストーク及び記録マーク長に対する分解能の不足を解消した光ピックアップ装置を提供することを課題としており、また、この光ピックアップ装置を用いて記録密度の相違する少なくとも２種類のフォーマットに対応するディスクを読み取る光ディスク装置を提供することを課題とする。
【００１３】
【課題を解決するための手段】
本発明請求項１に係る光ピックアップ装置は、低記録密度フォーマットに適合する波長のレーザー光を発生するレーザー光源を備え、高記録密度フォーマットに対応させて中央部分に配置される中央受光領域を有すると共に、この中央受光領域の外周側に低記録密度フォーマットに対応させて配置される周縁受光領域を有する光検出器を備え、高記録密度フォーマットのディスクの読み取り時には前記中央受光領域からの受光出力を発生させ、低記録密度フォーマットのディスクの読み取り時には前記中央受光領域及び前記周縁受光領域からの各受光出力を合算した合算出力を発生させる。これによりレーザー光源の波長及び光検出器の受光範囲を低記録密度のフォーマットに対応するディスクに適合させておいて、高記録密度のフォーマットに対応するディスクの場合、光検出器の受光範囲を限定して隣接トラックのクロストークの除去性能及び最短記録マーク長の分解能を得るようにしている。
【００１４】
本発明請求項３に係る光ピックアップ装置は、光検出器を碁盤の目状に配列された複数のセグメントにより構成し、複数のセグメントの集合により中央受光領域及び周縁受光領域の各分割領域を構成し、各受光領域における同一分割領域内の各セグメントの各受光出力を合算して同一の出力端子から出力し、ディスクのフォーマット種別によって各分割領域を構成するセグメントを切り換えるようにしている。これによりディスクの記録密度に基づくトラックピッチ及び記録マーク長に対応して使用するセグメントを切り換え、高記録密度フォーマットのディスクの記録マークで変調を受けた反射光の有効な範囲が受光される所定のセグメントの受光出力を使用し、高記録密度フォーマットのディスクに対して隣接トラックのクロストークの除去性能及び最短記録マーク長の分解能を得るようにしている。
【００１５】
本発明請求項７に係る光ディスク装置は、請求項１記載の光ピックアップ装置を用いて光検出器の中央受光領域から得られる受光出力を用いることにより高記録密度フォーマットのディスクの記録マークを読み取ると共に、光検出器の中央受光領域及び周縁受光領域から得られる各受光出力の合算出力を用いることにより低記録密度フォーマットのディスクの記録マークを読み取るようにしている。
【００１６】
【実施例】
図１は本発明に係る光ピックアップ装置およびそれを用いた光ディスク装置の一実施例を示す回路ブロック図である。図１の光ディスク装置はＣＤ及びＤＶＤの再生に対応しており、使用される光ピックアップ装置はレーザー光源としてＣＤフォーマットに適合する波長７７０ｎｍ〜８３０ｎｍのレーザービームを発光するレーザーダイオード（図示せず）が使用される。
【００１７】
具体的にはレーザーダイオードは例えば波長７８０ｎｍのレーザービームを発光するものを使用すると共に、対物レンズ（図示せず）はＮＡ（ｎｕｍｅｒｉｃａｌ　ａｐｅｒｔｕｒｅ）がＣＤの記録密度に適した０．４５より高い０．５〜０．６５を使用し、特にＤＶＤに採用される０．６〜０．６３が好適である。
【００１８】
光ピックアップ装置のディスクからの反射光を受光する光検出器ＰＤには、中央部分に配置され、４つの分割領域ａ，ｂ，ｃ，ｄから構成される中央受光領域と、この中央受光領域の外周側に配置され、中央受光領域と共通の分割線により分割される４つの分割領域Ａ，Ｂ，Ｃ，Ｄから構成される周縁受光領域とが形成されている。
【００１９】
中央受光領域の各分割領域ａ，ｂ，ｃ，ｄの受光出力Ｓａ，Ｓｂ，Ｓｃ，Ｓｄは、それぞれ電流・電圧変換アンプ１，２，３，４を介してそれぞれ独立して出力端子５，６，７，８から導出され、また、周縁受光領域の各分割領域Ａ，Ｂ，Ｃ，Ｄの受光出力ＳＡ，ＳＢ，ＳＣ，ＳＤは、それぞれ電流・電圧変換アンプ９，１０，１１，１２を介してそれぞれ独立して出力端子１３，１４，１５，１６から導出される。
【００２０】
各出力端子５，６，７，８から導出される中央受光領域の各受光出力Ｓａ，Ｓｂ，Ｓｃ，Ｓｄは、フロントエンド処理回路１７に供給される。
【００２１】
また、各出力端子１３，１４，１５，１６から導出される周縁受光領域の各受光出力ＳＡ，ＳＢ，ＳＣ，ＳＤは、それぞれ選択スイッチ１８，１９，２０，２１により選択的に対応する受光出力Ｓａ，Ｓｂ，Ｓｃ，Ｓｄに合算されてフロントエンド処理回路１７に供給される。
【００２２】
フロントエンド処理回路１７は、入力される各種受光出力を用いてディスクに記録された記録マーク（ピット・ランド）に対応するＲＦ信号（ラジオ周波信号）を生成すると共に、各ディスクに応じてレベル調整及びイコライジングして２値データ化し、かつ、ディスクに照射されるレーザービームのディスク信号面とのフォーカスずれを示すフォーカスエラー信号（ＦＥ信号）、及び前記レーザービームのディスクの信号トラックとのトラッキングずれを示すトラッキングエラー信号（ＴＥ信号）を生成する。
【００２３】
また、フロントエンド処理回路１７は、ＣＤ方式の記録用ディスク（ＣＤ−Ｒ，ＣＤ−ＲＷ）のプリグルーブ（Ｐｒｅ−ｇｒｏｏｖｅ）からウォブル（ｗｏｂｂｌｅ）信号を抽出する。
【００２４】
尚、本実施例においては、フォーカスエラー信号を生成するのに非点収差法が採用されると共に、トラッキングエラー信号を生成するのにプッシュプル法が採用されており、これらの方式に則ってフロントエンド処理回路１７により各種受光出力が演算処理される。
【００２５】
中央受光領域の各受光出力Ｓａ，Ｓｂ，Ｓｃ，Ｓｄ、及び周縁受光領域の各受光出力ＳＡ，ＳＢ，ＳＣ，ＳＤは、それぞれ独立して光量測定回路２２に供給され、各受光出力Ｓａ，Ｓｂ，Ｓｃ，Ｓｄ、及びＳＡ，ＳＢ，ＳＣ，ＳＤの強度が測定される。
【００２６】
ディスク判別回路２３は、光量測定回路２２による測定に基づいて光ディスク装置にセットされたディスクがＣＤであるかＤＶＤであるかを判別する。
【００２７】
ディスク判別回路２３によりディスク判別が行われると、その判別結果に基づいて出力制御回路２４は選択スイッチ１８，１９，２０，２１の切り換えを制御する。
【００２８】
次に、このように構成される光ピックアップ装置およびそれを用いた光ディスク装置の動作について説明する。
【００２９】
初期状態において、選択スイッチ１８，１９，２０，２１は出力制御回路２４により開放状態に制御されている。
【００３０】
光ディスク装置にディスクがセットされると、中央受光領域の各受光出力Ｓａ，Ｓｂ，Ｓｃ，Ｓｄ及び周縁受光領域の各受光出力ＳＡ，ＳＢ，ＳＣ，ＳＤは、それぞれ独立して光量測定回路２２に供給され、各受光出力Ｓａ，Ｓｂ，Ｓｃ，Ｓｄ、及びＳＡ，ＳＢ，ＳＣ，ＳＤの強度が測定される。
【００３１】
この測定により中央受光領域の各分割領域ａ，ｂ，ｃ，ｄ及び周縁受光領域の各分割領域Ａ，Ｂ，Ｃ，Ｄに受光される受光強度分布が測定でき、この分布によりディスクがＤＶＤかＣＤかがディスク判別回路２３により判別される。
【００３２】
ディスク判別回路２３によりＤＶＤであると判別された場合、出力制御回路２４は選択スイッチ１８，１９，２０，２１を開放状態にする制御を行う。その為、フロントエンド処理回路１７には出力端子５，６，７，８から導出される中央受光領域の各受光出力Ｓａ，Ｓｂ，Ｓｃ，Ｓｄのみが供給される状態になる。
【００３３】
ここで、中央受光領域は、選択されたレーザー波長及び対物レンズのＮＡを考慮して、ＤＶＤの記録マークで変調を受けた反射光の有効な範囲を受光するのに適切な大きさに設定されている。その為、中央受光領域の各分割領域ａ，ｂ，ｃ，ｄからは、ＤＶＤにおける隣接トラックのクロストーク成分が充分に除去されると共に、最短記録マーク長の分解能が確保された受光出力が得られる。
【００３４】
したがって、フロントエンド処理回路１７は、中央受光領域の各受光出力Ｓａ，Ｓｂ，Ｓｃ，Ｓｄを加算した加算出力（Ｓａ＋Ｓｂ＋Ｓｃ＋Ｓｄ）によりＤＶＤにおける隣接トラックのクロストークの除去性能及び最短記録マーク長の分解能が確保されたＤＶＤの記録マークに対応したＲＦ信号を生成する。
【００３５】
また、フロントエンド処理回路１７は、中央受光領域の各分割領域ａ，ｂ，ｃ，ｄの対角線上に配置された同士の各加算出力（Ｓａ＋Ｓｃ）及び（Ｓｂ＋Ｓｄ）の差分（Ｓａ＋Ｓｃ）−（Ｓｂ＋Ｓｄ）を演算し、非点収差法に対応するフォーカスエラー信号を生成する。
【００３６】
また、フロントエンド処理回路１７は、中央受光領域の各分割領域ａ，ｂ，ｃ，ｄの信号トラック方向に並んで配置された同士の各加算出力（Ｓａ＋Ｓｄ）及び（Ｓｂ＋Ｓｃ）の差分（Ｓａ＋Ｓｄ）−（Ｓｂ＋Ｓｃ）を演算し、プッシュプル法に対応するトラッキングエラー信号を生成する。
【００３７】
一方、光ディスク装置にディスクがセットされた際の光量測定回路２２による受光強度分布の測定によりディスク判別回路２３によりＣＤであると判別された場合、出力制御回路２４は選択スイッチ１８，１９，２０，２１を閉状態にする制御を行う。
【００３８】
その為、フロントエンド処理回路１７には出力端子５，６，７，８から導出される中央受光領域の各受光出力Ｓａ，Ｓｂ，Ｓｃ，Ｓｄ及び出力端子１３，１４，１５，１６から導出される周縁受光領域の各受光出力ＳＡ，ＳＢ，ＳＣ，ＳＤが対応する同士で合算されて４系統の合算受光出力（Ｓａ＋ＳＡ），（Ｓｂ＋ＳＢ），（Ｓｃ＋ＳＣ），（Ｓｄ＋ＳＤ）が供給される状態になる。
【００３９】
ここで、周縁受光領域は、ＣＤの記録マークで変調を受けた反射光の有効な範囲に対して中央受光領域の範囲で不足する範囲を補うべく中央受光領域の周縁に前記反射光の有効な範囲を受光するのに適切な大きさとなるように設けられている。そして、周縁受光領域は、中央受光領域と共通の分割線により４つの分割領域に分割されている。
【００４０】
その為、中央受光領域及び周縁受光領域の各合算受光出力（Ｓａ＋ＳＡ），（Ｓｂ＋ＳＢ），（Ｓｃ＋ＳＣ），（Ｓｄ＋ＳＤ）は、ＣＤにおける隣接トラックのクロストーク成分が問題とならないと共に、最短記録マーク長の分解能が確保されながら、充分なレベルに確保される。
【００４１】
したがって、フロントエンド処理回路１７は、中央受光領域及び周縁受光領域の各合算受光出力（Ｓａ＋ＳＡ）＋（Ｓｂ＋ＳＢ）＋（Ｓｃ＋ＳＣ）＋（Ｓｄ＋ＳＤ）によりＣＤにおける隣接トラックのクロストークの除去性能及び最短記録マーク長の分解能を確保しながら、ＣＤ−ＲＷディスクであっても充分な信号レベルのＣＤの記録マークに対応したＲＦ信号を生成する。
【００４２】
また、フロントエンド処理回路１７は、中央受光領域及び周縁受光領域の各合算受光出力（Ｓａ＋ＳＡ），（Ｓｂ＋ＳＢ），（Ｓｃ＋ＳＣ），（Ｓｄ＋ＳＤ）における各受光領域の分割領域の対角線上に配置された同士の各加算出力（（Ｓａ＋ＳＡ）＋（Ｓｃ＋ＳＣ））及び（（Ｓｂ＋ＳＢ）＋（Ｓｄ＋ＳＤ））の差分（（Ｓａ＋ＳＡ）＋（Ｓｃ＋ＳＣ））−（（Ｓｂ＋ＳＢ）＋（Ｓｄ＋ＳＤ））を演算し、非点収差法に対応するフォーカスエラー信号を生成する。
【００４３】
また、フロントエンド処理回路１７は、中央受光領域及び周縁受光領域の各合算受光出力（Ｓａ＋ＳＡ），（Ｓｂ＋ＳＢ），（Ｓｃ＋ＳＣ），（Ｓｄ＋ＳＤ）における各受光領域の信号トラック方向に並んで配置された同士の各加算出力（（Ｓａ＋ＳＡ）＋（Ｓｄ＋ＳＤ））及び（（Ｓｂ＋ＳＢ）＋（Ｓｃ＋ＳＣ））の差分（（Ｓａ＋ＳＡ）＋（Ｓｄ＋ＳＤ））−（（Ｓｂ＋ＳＢ）＋（Ｓｃ＋ＳＣ））を演算し、プッシュプル法に対応するトラッキングエラー信号を生成する。
【００４４】
尚、上述の実施例において、ディスク判別回路２３によるディスク判別は光量測定回路２２による測定に基づいているので、出力制御回路２４による選択スイッチ１８，１９，２０，２１の切換制御は光量測定回路２２による測定に基づいているが、ディスク判別回路２３によるディスク判別が別の方法で行われる場合、これに限らずディスク判別に基づいて行われるようにすれば良い。
【００４５】
次に、図２及び図３を用いて別の実施例について説明する。
【００４６】
使用される光ピックアップ装置は、図１と同様にレーザー光源の波長７８０ｎｍ、及び対物レンズのＮＡが０．６〜０．６３に設定される。
【００４７】
光ピックアップ装置のディスクからの反射光を受光する光検出器３０は、図２に示される如く、碁盤の目状に配列された複数のセグメントにより構成されており、中央に矩形状に太線で示される分割線３１の内側が中央受光領域を構成し、前記分割線の外側が周縁受光領域を構成すると共に、縦横に十字に太線で示される分割線３２，３３により前記中央受光領域及び前記周縁受光領域の各分割領域が構成されている。
【００４８】
光検出器３０の各セグメントの受光出力は光量測定回路３４に供給され、光量測定回路３４による各セグメントの受光強度分布の測定に基づいて出力制御回路３５により出力選択回路３６が制御され、光検出器３０の中央受光領域の各分割領域を構成する各セグメントの合算受光出力のみを出力させるか、あるいは周縁受光領域の各分割領域を構成する各セグメントの合算受光出力を中央受光領域の対応する分割領域の各合算受光出力に合算して出力させるかが選択される。
【００４９】
その為、出力選択回路３６からは、光検出器３０の十字の分割線３２，３３により分割される中央受光領域の各分割領域の各受光出力、あるいは中央受光領域及び周縁受光領域の対応する分割領域同士の各分割領域ごとの各合算受光出力が選択的に出力され、これらの中央受光領域の４系統の各受光出力、中央受光領域及び周縁受光領域の４系統の各合算受光出力が選択的にフロントエンド処理回路３７に供給される。
【００５０】
したがって、フロントエンド処理回路３７は、図１の回路と同様に、ＤＶＤの読み取り時には中央受光領域の各分割領域の各受光出力を加算した加算出力によりＤＶＤにおける隣接トラックのクロストークの除去性能及び最短記録マーク長の分解能が確保されたＤＶＤの記録マークに対応したＲＦ信号を生成し、ＣＤの読み取り時には中央受光領域及び周縁受光領域の各分割領域ごとの各合算受光出力によりＣＤにおける隣接トラックのクロストークの除去性能及び最短記録マーク長の分解能を確保しながら、ＣＤ−ＲＷディスクであっても充分な信号レベルのＣＤの記録マークに対応したＲＦ信号を生成する。
【００５１】
また、フロントエンド処理回路３７は、ＤＶＤの読み取り時には中央受光領域の各分割領域の各受光出力を用いてフォーカスエラー信号及びトラッキングエラー信号を生成し、ＣＤの読み取り時には中央受光領域及び周縁受光領域の各分割領域ごとの各合算受光出力を用いてフォーカスエラー信号及びトラッキングエラー信号を生成する。
【００５２】
ここで、出力選択回路３６は、図３に示す如く、フロントエンド処理回路３７に接続される出力端子３８，３９，４０，４１に４系統の受光出力にそれぞれ導出する出力アンプ４２，４３，４４，４５と、この各出力アンプ４２，４３，４４，４５に光検出器３０の各セグメント３０１，３０２，…３０ｋ，…３０ｎの各受光出力を選択的に供給するセレクタ３６１，３６２，…３６ｋ，…３６ｎとにより構成される。
【００５３】
その為、出力選択回路３６は、光検出器３０の所定のセグメントの受光出力を所定の出力端子から出力させる。
【００５４】
ところで、ＤＶＤとＣＤとでは、ディスクの記録マークの大きさに対応し、ディスクの記録マークに変調された反射光の光検出器３０に受光される領域が相違する。
【００５５】
ディスク装着時のディスク判別時には、光量測定回路３４により光検出器３０の各セグメントの受光出力が測定され、光検出器３０における光強度分布が検出されるので、この光強度分布に基づいて出力制御回路３５により出力選択回路３６から出力される４系統の受光出力は制御される。
【００５６】
したがって、光検出器３０における光強度分布の検出に応じて中央受光領域及び周縁受光領域を決定する分割線３１の位置が切り換えられる。
【００５７】
これによりＤＶＤの場合において、光検出器３０における記録マークにより変調された反射光が受光される有効な範囲のセグメントのみの受光出力を使用して良質なＲＦ信号を生成することが出来る。
【００５８】
また、ＤＶＤとＣＤとでは、対物レンズの焦点をシフトさせることに伴い、ディスクの記録マークに変調された反射光の光検出器３０に受光される領域の中心が相違する。
【００５９】
この点に対応させて、ディスク装着時のディスク判別時には、光検出器３０における光強度分布の検出に応じて中央受光領域及び周縁受光領域の各分割領域を決定する十字の分割線３２，３３の位置が切り換えられ、この分割線３２，３３の位置はＤＶＤとＣＤとで独立して設定することが出来る。
【００６０】
これによりＤＶＤとＣＤのいずれのディスクであっても、光検出器３０における非点収差が付与された反射光及び信号トラックにより変調された反射光を中央受光領域及び周縁受光領域の各分割領域に適切に受光させることが出来、オフセット成分の減少が図れ、良質なフォーカスエラー信号及びトラッキングエラー信号を生成することが出来る。
【００６１】
この場合、少なくとも各受光領域の境界近傍の各セグメントの各受光出力を出力選択回路３６により選択的に各出力端子３８，３９，４０，４１に導出されるようにすることで、セレクタの数を節約できる。
【００６２】
また、記録用ＣＤの場合、プリグルーブのウォブル信号成分が含まれる反射光が光検出器３０の信号トラックの縁部分に対応する所定のセグメントに受光されるので、この所定のセグメントの受光出力を独立して出力選択回路３６により出力することで、フロントエンド処理回路３７により良質なウォブル信号を抽出することが出来る。
【００６３】
尚、図１及び図２、図３の実施例において、ＤＶＤの場合、フォーカスエラー信号を生成するのに光検出器の中央受光領域のみの各分割領域の受光出力を使用する方法について説明したが、非点収差による反射光の形状変化によってはＤＶＤの場合であってもＣＤと同様に周縁受光領域の各分割領域の受光出力を使用するようにしても良い。
【００６４】
また、実施例においては、ディスクに照射されるレーザー光が１ビームである場合について説明したが、３ビームを用いる場合、実施例に示した光検出器をメイン受光領域としてこのメイン受光領域を挟んだ両側に各サブ受光領域を設けることにより３ビーム法によるトラッキング方式を採用できると共に、前記各サブ受光領域を信号トラック方向に２分割すれば、差動プッシュプル法によるトラッキング方式を採用できる。
【００６５】
【発明の効果】
以上の如く、本発明に因れば、低記録密度フォーマットに適合する波長のレーザー光を用いると共に、低記録密度フォーマット及び高記録密度フォーマットに対応する各ディスクとで同一光路上に配置される中央受光領域及び周縁受光領域を用いて各ディスクの記録マークを読み取ることが可能な光ピックアップ装置およびそれを用いた光ディスク装置が提供出来る。
【００６６】
この場合、光検出器の中央受光領域及び周縁受光領域をそれぞれ複数の分割領域に分割し、前記各受光領域の対応する分割領域ごとの各受光出力を選択的に合算しているので、低記録密度フォーマット及び高記録密度フォーマットに対応する各ディスクで同一の信号経路を用いてＲＦ信号、フォーカスエラー信号及びトラッキングエラー信号を生成させることが出来る。
【００６７】
また、光検出器を碁盤の目状に配列された複数のセグメントにより構成とした場合、使用するセグメントを切り換えることにより中央受光領域及び周縁受光領域と各分割領域とを構成して各フォーマットのディスクで同一の信号経路を用いてＲＦ信号、フォーカスエラー信号及びトラッキングエラー信号を生成させることが出来る。
【００６８】
また、各セグメントに受光される出力分布強度の測定に基づいて光検出器の中央受光領域及び周縁受光領域の境界を切り換えることにより中央受光領域を高記録密度フォーマットのディスクの読み取りに最適な範囲に設定出来、良質なＲＦ信号を生成することが出来る。
【００６９】
更に、光検出器の各受光領域の分割領域の境界を切り換えることによりその境界を各フォーマットのディスク毎に最適に設定出来、良質なフォーカスエラー信号及びトラッキングエラー信号を生成することが出来る。
【００７０】
また更に、光検出器を碁盤の目状に配列された複数のセグメントにより構成すると、低記録密度フォーマットのディスクの信号トラックの縁部分に対応する光検出器の所定のセグメントから得られる受光出力を用いて前記ディスクのプリグルーブから良質なウォブル信号成分を抽出することが出来る。
【図面の簡単な説明】
【図１】本発明に係る光ピックアップ装置およびそれを用いた光ディスク装置の一実施例を示す回路ブロック図である。
【図２】本発明に係る光ピックアップ装置およびそれを用いた光ディスク装置の別の実施例を示す回路ブロック図である。
【図３】図２の出力選択回路３６を説明する回路図である。
【符号の説明】
ＰＤ，３０　　　　　光検出器
ａ，ｂ，ｃ，ｄ　　　　中央受光領域
Ａ，Ｂ，Ｃ，Ｄ　　　　周縁受光領域
１８，１９，２０，２１　　　　選択スイッチ（選択回路）
１７，３７　　　　フロントエンド処理回路
２２，３４　　　　光量測定回路
２４，２５　　　　出力制御回路
３６　　　　出力選択回路（選択回路）
【図１】
2004055027.tif 000003
【図２】
2004055027.tif 000004
【図３】
2004055027.tif 000005